(57)【要約】      （修正有）【課題】工期の短縮に適した構造の太陽電池パネル用架台を提供する。【解決手段】太陽電池パネル用架台１は、単管パイプ１０（第１の単管パイプ）、単管パイプ２０（第２の単管パイプ）、及びスパイラル杭をそれぞれ複数ずつ備えている。単管パイプ１０は、太陽電池パネルが取り付けられる傾斜面を構成している。単管パイプ２０は、単管パイプ１０を支持している。スパイラル杭は、中空状をしており、その周囲には螺旋状の羽根が形成されている。スパイラル杭は、地中に埋め込まれている。単管パイプ２０は、スパイラル杭の内部に挿入された状態で、スパイラル杭に固定されている。【選択図】図１
0003184322.tif 000002
【実用新案登録請求の範囲】
【請求項１】
太陽電池パネルが取り付けられる傾斜面を構成する複数の第１の単管パイプと、
前記第１の単管パイプを支持する複数の第２の単管パイプと、
地中に埋め込まれ、周囲に螺旋状の羽根が形成された中空状の複数のスパイラル杭と、を備え、
前記各第２の単管パイプは、前記各スパイラル杭の内部に挿入された状態で当該スパイラル杭に固定されていることを特徴とする太陽電池パネル用架台。
【請求項２】
請求項１に記載の太陽電池パネル用架台において、
前記各第２の単管パイプ及び前記各スパイラル杭には、それぞれ一対の孔が形成されており、
前記各第２の単管パイプと前記各スパイラル杭とは、それぞれに形成された前記孔を貫通するピンによって互いに固定されている太陽電池パネル用架台。
【請求項３】
請求項１又は２に記載の太陽電池パネル用架台において、
前記各スパイラル杭には、ナットが設けられており、
前記各第２の単管パイプは、前記各スパイラル杭の前記ナットに嵌合されたボルトによって当該スパイラル杭に固定されている太陽電池パネル用架台。
【請求項４】
請求項１乃至３の何れかに記載の太陽電池パネル用架台において、
前記各スパイラル杭を包囲するように設けられた筒状の型枠を更に備える太陽電池パネル用架台。
【請求項５】
請求項４に記載の太陽電池パネル用架台において、
前記型枠内には、モルタルが充填されている太陽電池パネル用架台。
【請求項６】
請求項１乃至５の何れかに記載の太陽電池パネル用架台において、
前記各スパイラル杭には、亜鉛メッキが施されている太陽電池パネル用架台。
【考案の詳細な説明】
【技術分野】
【０００１】
本考案は、太陽電池パネル用架台に関する。
【背景技術】
【０００２】
近年、多数の太陽電池アレイが設けられたメガソーラーと呼ばれる大規模な発電施設の建設が増えてきている。かかる施設に設置される太陽電池パネル用の架台としては、例えば特許文献１に記載されたものがある。同文献に記載の太陽電池パネル用架台は、鉄筋コンクリート製であり、鋼管等の支持材を介して太陽電池パネルが取り付けられるようになっている。この架台は、施工地において型枠内にコンクリートを流し込んで形成される。
【特許文献１】特開２００７−３５８４９号公報
【考案の概要】
【考案が解決しようとする課題】
【０００３】
このように、従来の太陽電池パネル用架台の施工においては、太陽電池パネルが取り付けられた後も充分な強度を有する架台を設けるために、コンクリートの打設が必要であった。しかしながら、このことは、工期の長期化を招く要因となっていた。
【０００４】
本考案は、上記課題に鑑みてなされたものであり、工期の短縮に適した構造の太陽電池パネル用架台を提供することを目的とする。
【課題を解決するための手段】
【０００５】
本考案による太陽電池パネル用架台は、太陽電池パネルが取り付けられる傾斜面を構成する複数の第１の単管パイプと、上記第１の単管パイプを支持する複数の第２の単管パイプと、地中に埋め込まれ、周囲に螺旋状の羽根が形成された中空状の複数のスパイラル杭と、を備え、上記各第２の単管パイプは、上記各スパイラル杭の内部に挿入された状態で当該スパイラル杭に固定されていることを特徴とする。
【０００６】
この太陽電池パネル用架台においては、地中に埋め込まれたスパイラル杭に、第２の単管パイプが挿入された状態で固定されている。このため、施工時にコンクリートを打設しなくても、充分な強度を有する架台を設置することが可能となる。これにより、コンクリートを打設する工程を省略し、工期の短縮を図ることができる。
【考案の効果】
【０００７】
本考案によれば、工期の短縮に適した構造の太陽電池パネル用架台が実現される。
【図面の簡単な説明】
【０００８】
【図１】本考案による太陽電池パネル用架台の一実施形態を示す斜視図である。
【図２】図１の太陽電池パネル用架台における地面近傍の構造を示す斜視図である。
【図３】図１の太陽電池パネル用架台におけるスパイラル杭を示す斜視図である。
【図４】図２に対応する平面図である。
【図５】図１の太陽電池パネル用架台に太陽電池パネルが取り付けられた状態を示す斜視図である。
【考案を実施するための形態】
【０００９】
以下、図面を参照しつつ、本考案の実施形態について詳細に説明する。なお、図面の説明においては、同一要素には同一符号を付し、重複する説明を省略する。
【００１０】
図１は、本考案による太陽電池パネル用架台の一実施形態を示す斜視図である。また、図２は、図１の太陽電池パネル用架台における地面近傍の構造を示す斜視図である。太陽電池パネル用架台１は、単管パイプ１０（第１の単管パイプ）、単管パイプ２０（第２の単管パイプ）、及びスパイラル杭３０をそれぞれ複数ずつ備えている。
【００１１】
単管パイプ１０は、単管パイプ１０ａ、単管パイプ１０ｂ及び単管パイプ１０ｃを有しており、太陽電池パネルが取り付けられる傾斜面を構成している。この傾斜面の角度は、例えば水平面から２５°とされる。単管パイプ１０ａ及び単管パイプ１０ｂは、水平方向に延在しており、互いに平行である。単管パイプ１０ｂは、単管パイプ１０ａよりも高い位置に設けられている。単管パイプ１０ｃは、単管パイプ１０ａから単管パイプ１０ｂに渡って、傾斜して延在している。
【００１２】
単管パイプ１０を支持するように、単管パイプ２０が設けられている。単管パイプ２０は、鉛直方向に延在している。単管パイプ１０及び単管パイプ２０の径は、例えば、４８．６ｍｍである。これらの単管パイプ１０ａ、単管パイプ１０ｂ及び単管パイプ１０ｃ、並びに単管パイプ２０は、クランプ等の固定部材を介して互いに組まれている。
【００１３】
図３は、スパイラル杭３０を示す斜視図である。スパイラル杭３０の周囲には、螺旋状の羽根３０ａが形成されている。羽根３０ａの幅（スパイラル杭３０の外周面から突出した部分の長さ）は、例えば、１．５ｃｍ〜２ｃｍ程度である。スパイラル杭３０には、亜鉛メッキが施されていることが好ましい。
【００１４】
スパイラル杭３０の大部分は、図２に示すように、地中に埋め込まれている。スパイラル杭３０の長さは、例えば１６０ｃｍである。その場合の地中に埋め込まれる部分の長さは、例えば１５５ｃｍである。また、スパイラル杭３０の径は、例えば７６ｍｍである。スパイラル杭３０は中空状をしており、その内部には単管パイプ２０が挿入されている。このように単管パイプ２０は、スパイラル杭３０の内部に挿入された状態で、スパイラル杭３０に固定されている。
【００１５】
スパイラル杭３０の上部（地上に露出する部分）には、２つの孔３２が形成されている（ただし、図２においては、１つの孔３２のみが図示されている。）。これらの孔３２は、対をなしており、互いに対向する位置に形成されている。同様に、単管パイプ２０にも一対の孔（図示せず）が形成されている。これらの孔は、スパイラル杭３０の孔３２に対応する位置に設けられている。
【００１６】
図４に示すように、単管パイプ２０に形成された一対の孔、及びスパイラル杭３０に形成された一対の孔を貫通するように、ピン５０（図２では図示を省略）が挿入されている。ピン５０の長さは、例えば１３０ｍｍである。このピン５０によって、単管パイプ２０とスパイラル杭３０とは互いに固定されている。
【００１７】
また、スパイラル杭３０の上部には、４つのナット３４が溶接されている。４つのナット３４は、図４からわかるように、等間隔に配設されている。これらのナット３４に嵌合されたボルト３６によって、単管パイプ２０がスパイラル杭３０に固定されている。
【００１８】
さらに、太陽電池パネル用架台１は、型枠４０を備えている。型枠４０は、筒状をしており、スパイラル杭３０を包囲するように設けられている。型枠４０の径は、例えば１８０ｍｍである。また、型枠４０の高さは、例えば７０ｍｍである。型枠４０内には、モルタル（図示せず）が充填されている。
【００１９】
図５は、太陽電池パネル用架台１に太陽電池パネルが取り付けられた状態を示す斜視図である。同図に示すように、太陽電池パネル６０は、単管パイプ１０によって構成された傾斜面に取り付けられる。これにより、太陽電池パネル６０は、所定の傾斜角をもった状態で太陽電池パネル用架台１により支持される。
【００２０】
続いて、太陽電池パネル用架台１の効果を説明する。太陽電池パネル用架台１においては、地中に埋め込まれたスパイラル杭３０に、単管パイプ２０が挿入された状態で固定されている。このため、施工時にコンクリートを打設しなくても、充分な強度を有する架台を設置することが可能となる。これにより、コンクリートを打設する工程を省略し、工期の短縮を図ることができるとともに、コストの削減も図ることができる。また、コンクリートが打設されない場合、太陽電池パネル用架台１を撤去して原状回復する際にも、工期を短縮するとともに、コストを削減することができる。
【００２１】
さらに、スパイラル杭３０は、油圧オーガが装着された油圧ショベルを用いて地中に埋設することができる。そうすることにより、手作業で埋設する場合に比べて、工期を大幅に短縮することができるとともに、スパイラル杭３０を垂直に埋設することが容易になる。
【００２２】
単管パイプ２０及びスパイラル杭３０は、それぞれに形成された一対の孔を貫通するピン５０によって互いに固定されている。これにより、簡易な構成で、単管パイプ２０とスパイラル杭３０とを確実に固定することができる。
【００２３】
単管パイプ２０は、ナット３４に嵌合されたボルト３６によって、スパイラル杭３０に固定されている。これにより、簡易な構成で、単管パイプ２０とスパイラル杭３０とをより確実に固定することができる。
【００２４】
スパイラル杭３０の周囲には型枠４０が設けられており、型枠４０内にモルタルが充填されている。これにより、簡易な構成で、太陽電池パネル用架台１の強度を高めることができる。また、モルタルは、コンクリートに比べて撤去が容易であるため、太陽電池パネル用架台１を撤去して原状回復する際の工期短縮に資する。
【００２５】
スパイラル杭３０に亜鉛メッキが施されている場合、スパイラル杭３０が錆びるのを防ぐことができる。このことは、太陽電池パネル用架台１の長寿命化につながる。
【００２６】
スパイラル杭３０の羽根３０ａの幅が１．５ｃｍ以上である場合、地中におけるスパイラル杭３０の安定性が特に高くなるため、太陽電池パネル用架台１の強度を高めるのに好適である。
【符号の説明】
【００２７】
１  太陽電池パネル用架台
１０  単管パイプ（第１の単管パイプ）
２０  単管パイプ（第２の単管パイプ）
３０  スパイラル杭
３０ａ  羽根
３２  孔
３４  ナット
３６  ボルト
４０  型枠
５０  ピン
６０  太陽電池パネル
【図１】
0003184322.tif 000003
【図２】
0003184322.tif 000004
【図３】
0003184322.tif 000005
【図４】
0003184322.tif 000006
【図５】
0003184322.tif 000007